(57)【要約】【課題】はさみ本来の性能および使用者の技能を損なうことなく、短時間で容易にかつ臨機応変に装飾性を変更することができるはさみを提供する。【解決手段】ペットトリミングや理美容に使用される、動刃部１００と静刃部２００をネジ部４００によって回動可能に軸支する構成のはさみにおいて、標準雌ネジ８１０の他に、それぞれ表面の特定部位にのみ装飾部品８２１，８３１を設けてこの特定部位を除いた部位の寸法および構造を標準雌ネジ８１０と略同じとした装飾雌ネジ８２０，８３０があらかじめ用意されており、ネジ部４００の雌ネジ８００として、標準雌ネジ８１０と装飾雌ネジ８２０，８３０が互換使用される構成とした。【選択図】図１
0003183123.tif 000002
【実用新案登録請求の範囲】
【請求項１】
ペットトリミングや理美容に使用される、動刃部と静刃部をネジ部によって回動可能に軸支する構成のはさみにおいて、
標準雌ネジの他に、表面の特定部位にのみ装飾部品を設けてこの特定部位を除いた部位の寸法および構造を前記標準雌ネジと略同じとした装飾雌ネジがあらかじめ具備されており、
前記ネジ部の雌ネジとして、前記標準雌ネジと前記装飾雌ネジが互換使用されることを特徴とするはさみ。
【請求項２】
標準バネプレートの他に、表面の特定部位にのみ装飾部品を設けてこの特定部位を除いた部位の寸法および構造を前記標準装バネプレートと略同じとした装飾バネプレートがあらかじめ具備されており、
前記ネジ部のバネプレートとして、前記標準バネプレートと前記装飾バネプレートが互換使用されることを特徴とする請求項１に記載のはさみ。
【請求項３】
標準指掛突起の他に、突端の特定部位にのみ装飾部品を設けてこの特定部位を除いた部位の寸法および構造を前記標準指掛突起と略同じとした装飾指掛突起があらかじめ具備されており、
前記静刃部の指掛突起として、前記標準指掛突起と装飾指掛突起が互換使用されることを特徴とする請求項１または２に記載のはさみ。
【考案の詳細な説明】
【技術分野】
【０００１】
本考案は、ペットトリミングや理美容に使用されるはさみに関するものである。
【背景技術】
【０００２】
ペットトリミングや理美容に使用されるはさみは、動刃部と静刃部とをネジ部によって回動可能（開閉可能）に軸支する構成になっている。
【０００３】
このようなはさみの内、装飾部品を設けていないものを標準仕様のはさみ、装飾部品を設けて装飾を施したものを装飾仕様のはさみとして大別するならば、市販のはさみ、特に業務に使用される市販のはさみの大部分は、標準仕様のはさみであり、装飾性がないか、あっても低いものである。
【０００４】
このため、上記市販品の購入使用者の中には、上記標準仕様のはさみの装飾性に物足りなさを感じ、例えば携帯電話の装飾に使用されるような装飾部品を貼設することによって、独自に装飾性を高めた装飾仕様のはさみに改造する使用者もいる。
【０００５】
また、市販のはさみの中には、静刃部の静刃側指掛リングに宝石を模造した大きな装飾品を凸設するとともに、静刃部の指掛突起に王冠を模造した大きな装飾品を凸設することによって、装飾性の極めて高いものとした装飾仕様のはさみもある（特許文献１参照）。
【先行技術文献】
【特許文献】
【０００６】
【特許文献１】実用新案登録第３１６７９８７号公報
【考案の概要】
【考案が解決しようとする課題】
【０００７】
ペットトリミングや理美容の仕上げ品質に関しては、施術者の技能とともに、施術時に使用されるはさみの性能（例えば、切れ味や操作具合等）も大きなファクタとなる。
このため、一般に、ペットトリミングや理美容の業務に従事する施術者は、施術用途ごとに、自身の技能を最大に発揮できる自分専用のはさみを１つずつ保有している。
【０００８】
従って、ペットトリミングや理美容の業務に従事する施術者は、ある施術用途のはさみを装飾仕様のはさみとすると、その用途の施術時には、必ずその装飾仕様のはさみを使用することとなる。
【０００９】
しかし、顧客の個性やニーズは、様々である。
例えば、装飾仕様のはさみを使用する施術者に、カリスマ性や装飾感性の高さ、あるいは上品さを感じる顧客もいれば、逆に、標準仕様のはさみを使用する施術者に、施術技能の高さや真摯さ清楚さを感じ、装飾仕様のはさみを使用する施術者には、施術技能の未熟さや軽薄さを感じる顧客もいる。
【００１０】
従って、装飾仕様のはさみを使用して施術することが、顧客の満足感につながる場合もあれば、逆効果になる場合もあり得る。
【００１１】
このため、１つの施術用途について、標準仕様のはさみと装飾仕様のはさみの２つをあらかじめ保有しておき、この２つのはさみを顧客の個性やニーズに応じて選択使用することが考えられる。
【００１２】
しかし、はさみの特性上、２つのはさみ個々の性能は、使い込んでメンテナンスをする内に徐々に異なるものとなってしまう。
それゆえ、１つの施術用途に、２つのはさみを選択使用すると、その性能の違いが施術者の技能の低下の要因となり、そのことがトリミングや調髪の仕上りの品質の低下を招くおそれがあった。
【００１３】
このため、ペットトリミング業務や理美容業務に従事する施術者は、その業務に装飾仕様のはさみの使用を望んでも、現実には躊躇せざるを得ないという課題があった。
【００１４】
本考案は、このような従来の課題を解決するためになされたものであり、はさみ本来の性能および使用者の技能を損なうことなく、短時間で容易にかつ臨機応変に装飾性を変更することができるはさみを提供することを目的とするものである。
【課題を解決するための手段】
【００１５】
上記目的を達成するために、本考案の第１のはさみは、ペットトリミングや理美容に使用される、動刃部と静刃部をネジ部によって回動可能に軸支する構成のはさみにおいて、標準雌ネジの他に、表面の特定部位にのみ装飾部品を設けてこの特定部位を除いた部位の寸法および構造を前記標準雌ネジと略同じとした装飾雌ネジがあらかじめ具備されており、前記ネジ部の雌ネジとして、前記標準雌ネジと前記装飾雌ネジが互換使用されることを特徴とするものである。
【００１６】
本考案の第２のはさみは、上記第１のはさみにおいて、標準バネプレートの他に、表面の特定部位にのみ装飾部品を設けてこの特定部位を除いた部位の寸法および構造を前記標準装バネプレートと略同じとした装飾バネプレートがあらかじめ具備されており、前記ネジ部のバネプレートとして、前記標準バネプレートと前記装飾バネプレートが互換使用されることを特徴とするものである。
【００１７】
本考案の第３のはさみは、上記第１または第２のはさみにおいて、標準指掛突起の他に、突端の特定部位にのみ装飾部品を設けてこの特定部位を除いた部位の寸法および構造を前記標準指掛突起と略同じとした装飾指掛突起があらかじめ具備されており、前記静刃部の指掛突起として、前記標準指掛突起と装飾指掛突起が互換使用されることを特徴とするものである。
【考案の効果】
【００１８】
本考案によれば、標準雌ネジの他に、表面の特定部位にのみ装飾部品を設けてこの特定部位を除いた部位の寸法および構造を標準雌ネジと略同とした装飾雌ネジがあらかじめ具備されており、ネジ部の雌ネジとして、上記標準雌ネジと上記装飾雌ネジとが互換使用される構成としたことにより、はさみ本来の性能および使用者の技能を損なうことなく、短時間で容易にかつ臨機応変に、はさみの装飾性を変更することができるという効果がある。
【図面の簡単な説明】
【００１９】
【図１】本考案の実施の形態のはさみの全体構成を説明する分解斜視図である。
【図２】本考案の実施の形態のはさみの全体構成を説明する分解側面図である。
【図３】本考案の実施の形態のはさみの部分構成を説明する図である。
【考案を実施するための形態】
【００２０】
本考案を実施するための形態について、図面を参照しつつ、以下に詳細に説明する。
【００２１】
図１および図２は本考案の実施の形態のはさみの全体構成を説明する図であり、図１は分解斜視図、図２は分解側面図である。
【００２２】
また、図３は本考案の実施の形態のはさみの部分構成を説明する図であり、（ａ１）はネジ部を構成する雌ネジの表面図、（ａ２）は同雌ネジの側断面図、（ｂ）はネジ部を構成するバネプレートの表面図、（ｃ１）は静刃部を構成する指掛突起の正面図、（ｃ２）は同指掛突起の下面図である。なお、図３において、図１または図２と同様のものには同じ符号を付してある。
【００２３】
本考案の実施の形態のはさみは、動刃部１００と、静刃部２００と、ネジ部４００とを備えており、ペットトリミングや理美容に使用されるものであって、動刃部１００と静刃部２００をネジ部４００によって回動可能（開閉可能）に軸支する構成である。
【００２４】
動刃部１００は、動刃１１０と、動刃側ハンドル１２０と、動刃側指掛リング１３０とを備えて構成される。
【００２５】
静刃部２００は、静刃２１０と、静刃側ハンドル２２０と、静刃側指掛リング２３０と、指掛突起６００（標準指掛突起６１０または装飾指掛突起６２０）とを備えて構成される。
【００２６】
ネジ部４００は、自在ネジ構造であって、雄ネジ４１０と、バネプレート７００（標準バネプレート７１０または装飾バネプレート７２０）と、雌ネジ８００（標準雌ネジ８１０または装飾雌ネジ８２０または装飾雌ネジ８３０）とを備えて構成される。
【００２７】
動刃１１０および静刃２１０は、はさみの回動操作（開閉操作）に応じて互いに摺動することによって、はさみの作用部となる機能を果たす２つの刃体である。
【００２８】
動刃１１０は、はさみの使用時（施術操作時）に主として回動操作される側の刃体であり、静刃２１０は、はさみの使用時に主として静止操作される側の刃体である。
【００２９】
動刃側ハンドル１２０は、動刃１１０に一体成型されており、動刃側指掛リング１３０は、動刃側ハンドル１２０に一体成型されている。同様に、静刃側ハンドル２２０は、静刃２１０に一体成型されており、静刃側指掛リング２３０は、静刃側ハンドル２２０に一体成型されている。
【００３０】
動刃側指掛リング１３０は、使用者（施術者）が親指を挿嵌する部分であり、静刃側ハンドル２２０は、使用者が人さし指および中指を掛ける部分であり、静刃側指掛リング１２３は、使用者が薬指を挿嵌する部分である。
【００３１】
静刃部２００の指掛突起６００（標準指掛突起６１０または装飾指掛突起６２０）は、上端にネジ軸（ネジ軸６１０ａまたは６２０ａ）を有しており、このネジ軸を静刃側指掛リング２３０のネジ穴２３０ａに螺合させることによって、静刃側指掛リング２３０に凸設される。
【００３２】
この指掛突起６００（標準指掛突起６１０または装飾指掛突起６２０）は、使用者が小指を掛ける部分である。
【００３３】
動刃側ハンドル１２０および動刃側指掛リング１３０、ならびに静刃側ハンドル２２０、静刃側指掛リング１２３、および指掛突起６００は、はさみの操作部となる機能を果たす部分である。
【００３４】
ネジ部４００の雄ネジ４１０は、動刃部１００および静刃部２００ならびにバネプレート７００（標準バネプレート７１０または装飾バネプレート７２０）を全て貫通しても余る長さのネジ軸４１０ａを有している。
【００３５】
ネジ部４００のバネプレート７００（標準バネプレート７１０または装飾バネプレート７２０）は、ネジ挿通孔（ネジ挿通孔７１０ａまたは７２０ａ）を有するとともに、このネジ挿通孔の近傍の表面部位に歯止部（歯止部７１０ｂまたは７２０ｂ）を有し、下端に掛合フック（掛合フック７１０ｃまたは７２０ｃ）を有し、上端に屈撓部（屈撓部７１０ｄまたは７２０ｄ）を有している。
【００３６】
ネジ部４００の雌ネジ８００（標準雌ネジ８１０または装飾雌ネジ８２０または装飾雌ネジ８３０）は、ネジ穴（ネジ穴８１０ａまたは８２０ａまたは８３０ａ）を有するともに、その裏面に円環放射型の歯型部（歯型部８１０ｂまたは８２０ｂまたは８３０ｂ）を有し、その全周面に凹凸部（凹凸部８１０ｃまたは８２０ｃまたは８３０ｃ）を有している。
【００３７】
まず、雄ネジ４１０のネジ軸４１０ａを、動刃部１００のネジ挿通孔１００ａ、静刃部２００のネジ挿通孔２００ａ、およびバネプレート７００（標準バネプレート７１０または装飾バネプレート７２０）のネジ挿通孔（ネジ挿通孔７１０ａまたは７２０ａ）に挿通して、バネプレート７００の表面側に突出させる。
【００３８】
なお、このとき、バネプレート７００は、その掛合フック（掛合フック７１０ｃまたは７２０ｃ）を静刃部２００のプレート掛合凹部２００ｂに掛合させるとともに、その屈撓部（屈撓部７１０ｄまたは７２０ｄ）を静刃部２００に当接させて、静刃部２００に掛止載置されている。
【００３９】
そして、雄ネジ４１０の上記突出したネジ軸４１０ａに、雌ネジ８００（標準雌ネジ８１０または装飾雌ネジ８２０または装飾雌ネジ８３０）のネジ穴（ネジ穴８１０ａまたは８２０ａまたは８３０ａ）を螺合させることによって、雌ネジ８００裏面の歯型部（歯型部８１０ｂまたは８２０ｂまたは８３０ｂ）と、バネプレート７００表面の歯止部（ネジ挿通孔７１０ｂまたは７２０ｂ）とを噛合させて、動刃部１００と静刃部２００とをネジ部４００によって回動可能（開閉可能）に軸支する。
【００４０】
ネジ部４００は、動刃部１００と静刃部２００と回動可能（開閉可能）に軸支することによって、はさみの支軸部となる機能を果たす部分であるとともに、雄ネジ４１０と雌ネジ８００の螺合具合を微調整することによって、動刃１１０と静刃２１０の摺動具合を微調整する機能を果たす部分である。
【００４１】
このように、ペットトリミングや理美容に使用される本考案の実施の形態のはさみは、ネジ部４００を中心にして、動刃１１０と、動刃側操作部（動刃側ハンドル１２０および動刃側指掛リング１３０）と、静刃２１０と、静刃側操作部（静刃側ハンドル２２０および静刃側指掛リング２３０ならびに指掛突起６００）とをＸ型に配置した構成になっている。
【００４２】
従って、上記動刃側操作部と上記静刃側操作部を閉じる操作をすることによって、動刃１１０と静刃２１０が摺動接近して閉じ、逆に上記動刃側操作部と上記静刃側操作部を開く操作をすることによって、動刃１１０と静刃２１０が摺動離間して開く。
【００４３】
つまり、上記閉じる操作および上記開く操作のいずれにおいても、動刃部１００と静刃部２００は、それぞれの略中心に位置するネジ部４００を回動軸として逆回動する。
【００４４】
さらに、動刃１１０および静刃２１０ならびに上記動刃側操作部および上記静刃側操作部に個別に注目すれば、動刃１１０と静刃２１０は、ネジ部４００を回動軸として逆回動し、上記動刃側操作部と上記静刃側操作部も、ネジ部４００を回動軸として逆回動し、動刃１１０と上記静刃側操作部も、ネジ部４００を回動軸として逆回動し、静刃２１０上記動刃側操作部も、ネジ部４００を回動軸として逆回動する。
【００４５】
実施の形態１
ペットトリミングや理美容に使用される、動刃部と静刃部をネジ部によって回動可能（開閉可能）に軸支する構成のはさみでは、一般に上記ネジ部を取りはずし可能な構造になっている。動刃部と静刃部とを分離して、切刃（動刃および静刃）を個別にメンテナンスする必要性等のためである。
【００４６】
また、ネジ部は、Ｘ型のはさみの略中心に位置するので、はさみの部位の内で注目が集まる部分である。従って、ネジ部は、上記はさみにおいて、装飾効果を高く発揮し得る部位である。
【００４７】
そこでまず、本考案の実施の形態１では、ネジ部４００の雌ネジ８００として、装飾部品を設けていない標準仕様の雌ネジ（標準雌ネジ）８１０の他に、装飾部品を設けた装飾仕様の雌ネジ（装飾雌ネジ）８２０，８３０をあらかじめ用意しておき、標準雌ネジ８１０と装飾雌ネジ８２０，８３０とを互換使用することによって、雌ネジ８００の交換のみで、はさみの装飾性を短時間で容易に変更することができる構成とした。
【００４８】
しかし、ネジ部は、その螺合具合の微調整によってはさみの切れ味（動刃と静刃の摺動具合）を微調整する摺動具合調整機能を果たす重要な部分である。このため、互換使用される複数個の雌ネジの互換性が不完全であれば、上記互換使用によって上記摺動具合調整機能に支障をきたすおそれがある。
【００４９】
そこでさらに、この実施の形態１では、装飾雌ネジ８２０，８３０を、上記互換性を不完全にする危険性およびそれによって上記摺動具合調整機能に支障をきたす危険性がない表面の特定部位にのみ装飾部品を設け、この表面の特定部位を除いた部位、つまり上記危険性を生じるおそれのある裏面部位、側面部位、および雄ネジ螺合部位の寸法および構造を標準雌ネジ８１０と略同じとすることによって、上記互換性および上記摺動具合調整機能を完全に確保できる構成とした。
【００５０】
なお、この実施の形態１では、静刃部２００の指掛突起６００として、装飾部品を設けていない標準仕様の指掛突起（標準指掛突起）６１０を専用使用する。従って、標準指掛突起６１０は、そのネジ軸６１０ａを静刃側指掛リング２３０のネジ穴２３０ａに螺合させることによって静刃側指掛リング２３０に凸設されたままとなる。
【００５１】
また、この実施の形態１では、ネジ部４００のバネプレート７００として、装飾部品を設けていない標準仕様のバネプレート（標準バネプレート）７１０を専用使用する。従って、標準バネプレート７１０は、雌ネジ８００の裏面と静刃部２００の間に挿嵌され、その掛合フック７１０ｃを静刃部２００のプレート掛合凹部２００ｂに掛合させるとともに、その屈撓部７１０ｄを静刃部２００に当接させて、静刃部２００に掛止載置されたままとなる。
【００５２】
雌ネジ８００として互換使用される標準雌ネジ８１０は、ネジ穴８１０ａを有するとともに、その裏面に円環放射型の歯型部８１０ｂを有し、その全周面に凹凸部８１０ｃを有するものである。
【００５３】
また、雌ネジ８００として互換使用される装飾雌ネジ８２０は、ネジ穴８２０ａを有するとともに、その裏面に円環放射型の歯型部８２０ｂを有し、その全周面に凹凸部８２０ｃを有する上に、その表面に円環凹部８２０ｄを有しており、この円環凹部８２０ｄに、ダイヤモンド等の宝石を模造した複数個の装飾部品８２１を配列固設したものである。
【００５４】
この装飾雌ネジ８２０は、表面の円環凹部８２０ｄにのみ装飾部品８２１を配列固設したものであって、この表面部位を除いた部位の寸法および構造は、標準雌ネジ８１０と略同じである。
【００５５】
また、雌ネジ８００として互換使用される他の装飾雌ネジ８３０は、ネジ穴８３０ａを有するとともに、その裏面に円環放射型の歯型部８３０ｂを有し、その全周面に凹凸部８３０ｃを有する上に、その表面に円環凹部８３０ｄを有しており、この円環凹部８３０ｄに、ルビー等の宝石を模造した略中空ドーム型の装飾部品８３１を固設し、表面の円環凹部８３０ｄおよびネジ穴８３０ａ上を被覆したものである。
【００５６】
この装飾雌ネジ８３０も、装飾雌ネジ８２０と同様に、表面の円環凹部８２０ｄおよびネジ穴８３０ａ上にのみ装飾部品８３１を固設したものであって、この表面部位を除いた部位の寸法および構造は、標準雌ネジ８１０と略同じである。
【００５７】
例えば、ある顧客が施術者の施術技能の高さや真摯さ清楚さを重視するタイプであれば、施術者は、はさみの雌ネジ８００に標準雌ネジ８１０を使用することによって、はさみの装飾性を、誠実な職人気質を醸し出すようなものにして、その顧客の調髪施術あるいはその顧客のペットのトリミング施術をする。
【００５８】
また例えば、その次の顧客が施術者のカリスマ性や装飾感性の高さを重視するタイプであれば、施術者は、はさみの雌ネジ８００を標準雌ネジ８１０から装飾雌ネジ８２０に交換することによって、はさみの装飾性を、個性溢れた装飾感性を主張するようなものに変更して、その顧客の調髪施術あるいはその顧客のペットのトリミング施術をする。
【００５９】
このとき、施術者は、標準雌ネジ８１０の凹凸部８１０ｃをつまんで回し、標準雌ネジ８１０のネジ穴８１０ａと雄ネジ４１０のネジ軸４１０ａの螺合をはずしたあと、装飾雌ネジ８２０の凹凸部８２０ｃをつまんで回し、雄ネジ４１０のネジ軸４１０ａに装飾雌ネジ８２０のネジ穴８２０ａを螺合させる作業をするのみで、短時間で容易に、かつ顧客の個性やニーズ等に応じて臨機応変に、はさみの装飾性を変更することができる。
【００６０】
そして、装飾雌ネジ８２０は、装飾品８２１を設けた表面の部位を除いて標準雌ネジ８１０と略同じ寸法および構造であるため、施術者は、標準雌ネジ８１０を使用したときと略同じ感触で、動刃１１０と静刃１２０の摺動具合を略同じに調整することができる。
【００６１】
従って、雌ネジ８００を交換しても、はさみ本来の性能を雌ネジ８００の交換前と略同じに保つことができ、これによって施術者は雌ネジ８００の交換前と略同じ技能を発揮することができる。
【００６２】
さらに例えば、その次の顧客が施術者の上品さを重視するようなタイプであれば、施術者は、雌ネジ８００を装飾雌ネジ８２０から装飾雌ネジ８３０に交換することによって、はさみの装飾性を、さりげなく上品な装飾感性を醸し出すようなものに変更して、その顧客の調髪施術あるいはその顧客のペットのトリミング施術をする。
【００６３】
このときも、上記標準雌ネジ８１０を装飾雌ネジ８２０に交換したときと同様に、短時間で容易に、かつ顧客の個性やニーズ等に応じて臨機応変に、はさみの装飾性を変更することができるとともに、はさみ本来の性能を交換前と略同じに保つことができ、施術者は交換前と略同じ技能を発揮することができる。
【００６４】
なお、この実施の形態１において、装飾雌ネジ８３０を用意せずに標準雌ネジ８１０と装飾雌ネジ８２０とを互換使用すること、または装飾雌ネジ８２０を用意せずに標準雌ネジ８１０と装飾雌ネジ８３０とを互換使用することも可能である。あるいは、互いに装飾構造が異なる３つ以上の装飾雌ネジをあらかじめ用意しておき、標準ネジ８１０を含めた４つ以上の雌ネジを互換使用することも可能である。
【００６５】
また、この実施の形態１において、標準雌ネジ８１０、装飾雌ネジ８２０、および装飾雌ネジ８３０を、互いに異なる彩色や模様とすることも可能である。
【００６６】
また、この実施の形態１において、互いに色彩や模様が異なり、寸法および構造が略同じである複数個の標準雌ネジをあらかじめ用意しておき、上記複数個の標準雌ネジも含めて互換使用する構成とすることも可能である。
【００６７】
また、この実施の形態１において、互いに色彩や模様が異なり、装飾構造ならびに寸法および構造が略同じである複数個の装飾雌ネジをあらかじめ用意しておき、上記複数個の装飾雌ネジも含めて互換使用することも可能である。
【００６８】
また、この実施の形態１において、互いに色彩や模様が異なり、寸法および構造が略同じである複数個の雄ネジをあらかじめ用意しておき、ネジ部４００の雄ネジ４１０として、上記複数個の雄ネジを互換使用することも可能である。
【００６９】
また、この実施の形態１において、互いに色彩や模様が異なり、寸法および構造が略同じである複数個の標準指掛突起をあらかじめ用意しておき、雌ネジ８００の交換に応じて、または雌ネジ８００の交換とは個別に、静刃部２００の指掛突起６００として、上記複数個の標準指掛突起を互換使用する構成とすることも可能である。あるいは、指掛突起６００を静刃側リング２３０に一体成型または固設した構成とすることも可能である。
【００７０】
また、上記実施の形態１において、互いに色彩や模様が異なり、寸法および構造が略同じである複数個の標準バネプレートをあらかじめ用意しておき、ネジ部４００のバネプレート７００として、上記複数個の標準バネプレートを互換使用する構成とすることも可能である。あるいは、ネジ部４００にバネプレート７００を設けない構成とすることも可能である。
【００７１】
以上のように本考案の実施の形態１によれば、標準雌ネジ８１０の他に、表面の特定部位にのみ装飾部品８２１，８３１を設けてこの特定部位を除いた部位の寸法および構造を標準雌ネジ８１０と略同じとした装飾雌ネジ８２０，８３０をあらかじめ用意しておき、ネジ部４００の雌ネジ８００として互換使用することにより、はさみ本来の性能および使用者（施術者）の技能を損なうことなく、短時間で容易にかつ臨機応変に、はさみの装飾性を変更することができる。
【００７２】
実施の形態２
ペットトリミングや理美容に使用されるはさみには、ネジ部にバネプレートを設けたものがある。そして、ネジ部を取りはずし可能な構造のはさみでは、バネプレートも単品部品として取りはずし可能になっている。
【００７３】
そこでまず、本考案の実施の形態２では、上記実施の形態１において、さらに、ネジ部４００のバネプレート７００として、装飾部品を設けていない標準仕様のバネプレート（標準バネプレート）７１０の他に、装飾部品を設けた装飾仕様のバネプレート（装飾バネプレート）７２０をあらかじめ用意しておき、標準バネプレート７１０と装飾バネプレート７２０とを互換使用することによって、雌ネジ８００の交換および／またはバネプレート７００の交換のみで、はさみの装飾性を短時間で容易に変更することができる構成とした。
【００７４】
しかし、ネジ部は、その螺合具合の微調整によってはさみの切れ味（動刃と静刃の摺動具合）を微調整する摺動具合調整機能を果たす重要な部分であり、その中でバネプレートは、雌ネジの裏面と静刃部の間に挿嵌されて、ネジ部の緩みを防止する緩み防止機能を果たす部品である。このため、互換使用される複数個のバネプレートの互換性が不完全であれば、上記互換使用によって上記緩み防止機能に支障をきたすおそれがある。
【００７５】
そこでさらに、この実施の形態２では、装飾バネプレート７２０を、上記互換性を不完全にする危険性およびそれによって上記緩み防止機能に支障をきたす危険性のない表面の特定部位にのみ装飾部品を設け、この表面の特定部位を除いた部位、つまり上記危険性を生じるおそれのある裏面部位、端面部位、および表面の雌ネジとの当接部位の寸法および構造を標準バネプレート７１０と略同じとすることによって、上記互換性および上記緩み防止機能を完全に確保できる構成とした。
【００７６】
なお、この実施の形態２では、静刃部２００の指掛突起６００として、装飾部品を設けていない標準仕様の指掛突起（標準指掛突起）６１０を専用使用する。従って、標準指掛突起６１０は、そのネジ軸６１０ａを静刃側指掛リング２３０のネジ穴２３０ａに螺合させることによって静刃側指掛リング２３０に凸設されたままとなる。
【００７７】
バネプレート７００として互換使用される標準バネプレート７１０は、ネジ挿通孔７１０ａを有するとともに、このネジ挿通孔７１０ａの近傍の表面部位に歯止部７１０ｂを有し、下端に掛合フック７１０ｃを有し、上端に屈撓部７１０ｄを有するものである。
【００７８】
また、バネプレート７００として互換使用される装飾バネプレート７２０は、ネジ挿通孔７２０ａを有するとともに、このネジ挿通孔７２０ａの近傍の表面部位に歯止部７２０ｂを有し、下端に掛合フック７２０ｃを有し、上端に屈撓部７２０ｄを有しており、歯止部７２０ｂと掛合フック７２０ｃの間の表面部位に、ダイヤモンド等の宝石を模造した装飾部品７２１を固設したものである。
【００７９】
この装飾バネプレート７２０は、表面の歯止部７２０ｂと掛合フック７２０ｃの間の部位にのみ装飾部品７２１を固設したものであって、この表面部位を除いた部位の寸法および構造は、標準バネプレート７１０と略同じである。
【００８０】
例えば、ある顧客が施術者の施術技能の高さや真摯さ清楚さを重視するタイプであれば、施術者は、はさみの雌ネジ８００に標準雌ネジ８１０を使用するとともに、はさみのバネプレート７００に標準バネプレート７１０を使用することによって、はさみの装飾性を、誠実な職人気質を醸し出すようなものにして、その顧客の調髪施術あるいはその顧客のペットのトリミング施術をする。
【００８１】
また例えば、その次の顧客が施術者のカリスマ性や装飾感性の高さを重視するタイプであれば、施術者は、はさみの雌ネジ８００を標準雌ネジ８１０から装飾雌ネジ８２０に交換するとともに、はさみのバネプレート７００を標準バネプレート７１０から装飾バネプレート７２０に交換することよって、はさみの装飾性を、個性溢れた装飾感性を主張するようなものに変更して、その顧客の調髪施術あるいはその顧客のペットのトリミング施術をする。
【００８２】
このとき、施術者は、標準雌ネジ８１０の凹凸部８１０ｃをつまんで回し、標準雌ネジ８１０のネジ穴８１０ａと雄ネジ４１０のネジ軸４１０ａの螺合をはずし、さらにその下に挿嵌されている標準バネプレート７１０をつまんではずしたあと、装飾バネプレート７２０を静刃部２００に掛止載置し、さらに装飾雌ネジ８２０の凹凸部８２０ｃをつまんで回し、雄ネジ４１０のネジ軸４１０ａに装飾雌ネジ８２０のネジ穴８２０ａを螺合させる作業をするのみで、短時間で容易に、かつ顧客の個性やニーズ等に応じて臨機応変に、はさみの装飾性を変更することができる。
【００８３】
そして、装飾バネプレート７２０は、装飾品７２１を設けた表面の部位を除いて標準バネプレート７１０と略同じ寸法および構造であり、かつ装飾雌ネジ８２０は、装飾品８２１を設けた表面の部位を除いて標準雌ネジ８１０と略同じ寸法および構造であるため、施術者は、標準バネプレート７１０および標準雌ネジ８１０を使用したときと略同じ感触で、動刃１１０と静刃１２０の摺動具合を略同じに調整することができる。
【００８４】
従って、バネプレート７００および雌ネジ８００を交換しても、はさみ本来の性能をバネプレート７００および雌ネジ８００の交換前と略同じに保つことができ、これによって施術者はバネプレート７００および雌ネジ８００の交換前と略同じ技能を発揮することができる。
【００８５】
なお、この実施の形態２において、互いに装飾構造が異なる２つ以上の装飾バネプレートをあらかじめ用意しておき、標準バネプレート７１０を含めた３つ以上のバネプレートを互換使用することも可能である。
【００８６】
また、この実施の形態２において、標準雌バネプレート７１０および装飾バネプレート７２０を、互いに異なる彩色や模様とすることも可能である。
【００８７】
また、この実施の形態２において、互いに色彩や模様が異なり、寸法および構造が略同じである複数個の標準バネプレートをあらかじめ用意しておき、上記複数個の標準バネプレートも含めて互換使用することも可能である。
【００８８】
また、この実施の形態２において、互いに色彩や模様が異なり、装飾構造ならびに寸法および構造が略同じである複数個の装飾バネプレートをあらかじめ用意しておき、上記複数個の装飾バネプレートも含めて互換使用することも可能である。
【００８９】
以上のように本考案の実施の形態２によれば、上記実施の形態１において、さらに、標準バネプレート７１０の他に、表面の特定部位にのみ装飾部品７２１を設けてこの特定部位を除いた部位の寸法および構造を標準バネプレート７１０と略同じとした装飾バネプレート７２０をあらかじめ用意しておき、ネジ部４００のバネプレート７００として互換使用することにより、はさみ本来の性能および使用者（施術者）の技能を損なうことなく、短時間で容易にかつ臨機応変に、はさみの装飾性を変更することができる。
【００９０】
実施の形態３
ペットトリミングや理美容に使用されるはさみには、静刃部の指掛突起が単体部品として取りはずし可能な構造になっているものがある。
【００９１】
そこでまず、本考案の実施の形態３では、上記実施の形態１または上記実施の形態２において、さらに、静刃部２００の指掛突起６００として、装飾部品を設けていない標準仕様の指掛突起（標準指掛突起）６１０の他に、装飾部品を設けた装飾仕様の指掛突起（装飾指掛突起）６１０をあらかじめ用意しておき、標準指掛突起６１０と装飾指掛突起６２０とを互換使用することによって、雌ネジ８００の交換および／または指掛突起６００の交換のみで、あるいは雌ネジ８００の交換および／またはバネプレート７００の交換および／または指掛突起６００の交換のみで、はさみの装飾性を短時間で容易に変更することができる構成とした。
【００９２】
しかし、指掛突起は、施術者が小指を掛ける部分であって、施術者が薬指を挿嵌する静刃側リングおよび施術者が人差し指と中指を掛ける静刃側ハンドルとともに、施術者が静刃の操作技能を発揮するために重要な部品である。このため、互換使用される複数個の指掛突起の互換性が不完全であれば、上記互換使用によって上記静刃操作技能に支障をきたすおそれがある。
【００９３】
そこでさらに、この実施の形態３では、装飾指掛突起６２０を、上記互換性を不完全にする危険性および上記静刃操作技能に支障をきたす危険性のない突端の特定部位にのみ装飾部品を設け、この突端の特定部位を除いた部位、つまり上記危険性のある周面部位および静刃側リングとの螺合部位の寸法および構造を標準指掛突起６１０と略同じとすることによって、上記互換性および上記静刃操作技能を完全に確保できる構成とした。
【００９４】
指掛突起６００として互換使用される標準指掛突起６１０は、上端にネジ軸６１０ａを有しており、突端（下端）が略ドーム型（略半円球型）になっているものである。
【００９５】
また、指掛突起６００として互換使用される装飾指掛突起６２０は、上端にネジ軸６２０ａを有しており、突端（下端）が略平坦になっており、この突端の略平坦部位に、ダイヤモンド等の宝石を模造した装飾部品６２１を固設したものである。
【００９６】
この装飾指掛突起６２０は、突端にのみ装飾部品６２１を固設したものであって、この突端部位を除いた部位の寸法および構造は、標準指掛突起６１０と略同じである。
【００９７】
例えば、ある顧客が施術者の習熟度や清楚さを重視するタイプであれば、施術者は、はさみの雌ネジ８００に標準雌ネジ８１０を使用し、はさみのバネプレート７００に標準バネプレート７１０を使用するとともに、はさみの指掛突起６００に標準指掛突起６１０使用することによって、はさみの装飾性を、いかにも職人気質を醸し出すようなものにして、その顧客の調髪施術あるいはその顧客のペットのトリミング施術をする。
【００９８】
また例えば、その次の顧客が施術者の上品さを重視するようなタイプであれば、施術者は、はさみの雌ネジ８００を標準雌ネジ８１０から装飾雌ネジ８３０に交換するとともに、はさみの指掛突起６００を標準指掛突起６１０から装飾指掛突起６２０に交換することよって、はさみの装飾性を、さりげなく上品な装飾感性を醸し出すようなものに変更して、その顧客の調髪施術あるいはその顧客のペットのトリミング施術をする。
【００９９】
このとき、施術者は、標準雌ネジ８１０の凹凸部８１０ｃをつまんで回し、標準雌ネジ８１０のネジ穴８１０ａと雄ネジ４１０のネジ軸４１０ａの螺合をはずしたあと、装飾雌ネジ８３０の凹凸部８３０ｃをつまんで回し、雄ネジ４１０のネジ軸４１０ａに装飾雌ネジ８３０のネジ穴８３０ａを螺合させるとともに、標準指掛突起６１０の周面をつまんで回し、標準指掛突起６１０のネジ軸６１０ａと静刃側ハンドル２３０のネジ穴２３０ａの螺合をはずしたあと、装飾指掛突起６２０の周面をつまんで回し、静刃側ハンドル２３０のネジ穴２３０ａに装飾指掛突起６２０のネジ軸６２０ａを螺合させる作業をするのみで、短時間で容易に、かつ顧客の個性やニーズ等に応じて臨機応変に、はさみの装飾性を変更することができる。
【０１００】
そして、装飾指掛突起６２０は、装飾品６２１を設けた突端部位を除いて標準指掛突起６１０と略同じ寸法および構造であり、かつ装飾雌ネジ８３０は、装飾品８３１を設けた表面の部位を除いて標準雌ネジ８１０と略同じ寸法および構造であるため、施術者は、標準指掛突起６１０を使用したときと略同じ感触で、静刃部２００の操作ができるとともに、標準雌ネジ８１０を使用したときと略同じ感触で、動刃１１０と静刃１２０の摺動具合を略同じに調整することができる。
【０１０１】
従って、指掛突起６００および雌ネジ８００を交換しても、はさみ本来の性能を指掛突起６００および雌ネジ８００の交換前と略同じに保つことができ、これによって施術者は指掛突起６００および雌ネジ８００の交換前と略同じ技能を発揮することができる。
【０１０２】
なお、この実施の形態３において、互いに装飾構造が異なる２つ以上の装飾指掛突起をあらかじめ用意しておき、標準指掛突起６１０を含めた３つ以上の指掛突起を互換使用することも可能である。
【０１０３】
また、この実施の形態３において、標準指掛突起６１０および装飾指掛突起６２０を、互いに異なる彩色や模様とすることも可能である。
【０１０４】
また、この実施の形態３において、互いに色彩や模様が異なり、寸法および構造が略同じである複数個の標準指掛突起をあらかじめ用意しておき、上記複数個の標準指掛突起も含めて互換使用することも可能である。
【０１０５】
また、この実施の形態３において、互いに色彩や模様が異なり、装飾構造ならびに寸法および構造が略同じである複数個の装飾指掛突起をあらかじめ用意しておき、上記複数個の装飾指掛突起も含めて互換使用することも可能である。
【０１０６】
以上のように本考案の実施の形態３によれば、上記実施の形態１または上記実施の形態２において、さらに、標準指掛突起６１０の他に、突端の特定部位にのみ装飾部品６２１を設けてこの特定部位を除いた部位の寸法および構造を標準指掛突起６１０と略同じとした装飾指掛突起６２０をあらかじめ用意しておき、静刃部２００の指掛突起６００として互換使用することにより、はさみ本来の性能および使用者（施術者）の技能を損なうことなく、短時間で容易にかつ臨機応変に、はさみの装飾性を変更することができる。
【０１０７】
以上、本考案を実施するための形態について詳細に説明したが、本考案はこれらに限定されるものではなく、その主旨を逸脱しない範囲において種々の変更が可能である。
【符号の説明】
【０１０８】
１００  動刃部
１００ａ  ネジ挿通孔
１１０  動刃
１２０  動刃側ハンドル
１３０  動刃側指掛リング
２００  静刃部
２００ａ  ネジ挿通孔
２００ｂ  プレート掛合凹部
２１０  静刃
２２０  静刃側ハンドル
２３０  静刃側指掛リング
４００  ネジ部
４１０  雄ネジ
４１０ａ  ネジ軸
６００  指掛突起
６１０  標準指掛突起
６１０ａ  ネジ軸
６２０  装飾指掛突起
６２１  装飾部品
７００  バネプレート
７１０  標準バネプレート
７１０ａ  ネジ挿通孔
７１０ｂ  歯止部
７１０ｃ  掛合フック
７２０ｄ  屈撓部
７２０  装飾バネプレート
７２０ａ  ネジ挿通孔
７２０ｂ  歯止部
７２０ｃ  掛合フック
７２０ｄ  屈撓部
７２１  装飾部品
８００  雌ネジ
８１０  標準雌ネジ
８１０ａ  ネジ穴
８１０ｂ  歯型部
８２０ｃ  凹凸部
８２０  装飾雌ネジ
８２０ａ  ネジ穴
８２０ｂ  歯型部
８２０ｃ  凹凸部
８２０ｄ  円環凹部
８２１  装飾部品
８３０  装飾雌ネジ
８３０ａ  ネジ穴
８３０ｂ  歯型部
８３０ｃ  凹凸部
８３０ｄ  円環凹部
８３１  装飾部品
【図１】
0003183123.tif 000003
【図２】
0003183123.tif 000004
【図３】
0003183123.tif 000005